(57)【要約】【課題】腰を屈めることなく、より少ない力で且つ広範囲に清掃し得る清掃具の柄を提供する。【解決手段】清掃ブラシ２が取り付けられる清掃具１における柄であって、先端部に清掃ブラシ２が取り付けられるとともに遊端部に主取っ手部３が取り付けられた主棒状体４の上記清掃ブラシ２の取付箇所の直ぐ上方位置に、当該主棒状体４の軸心と直交する軸心回りで副棒状体６の先端部を揺動可能に取り付け、この副棒状体６の遊端部に副取っ手部７を設け、さらに副取っ手部７に、主棒状体４に係脱可能な案内空間を有する係合部３４を設けたものである。【選択図】図１
2007167345.tif 000002
【特許請求の範囲】
【請求項１】
清掃部材が取り付けられる清掃具における柄であって、
一端部に清掃部材が取り付けられるとともに他端部に主取っ手部が取り付けられた主棒状体の上記清掃部材の取付箇所またはその直ぐ上方位置に、当該主棒状体の軸心と直交する軸心回りで副棒状体の先端部を揺動可能に取り付け、
この副棒状体の遊端部に副取っ手部を設けたことを特徴とする清掃具の柄。
【請求項２】
副取っ手部側に、主棒状体に係脱可能な係合部を設けたことを特徴とする請求項１に記載の清掃具の柄。
【発明の詳細な説明】
【技術分野】
【０００１】
本発明は、清掃具の柄に関するものである。
【背景技術】
【０００２】
従来、床面を清掃するための清掃具としては、図７に示すようなものがある。
この清掃具５１は、細長い柄５２の先端部に、清掃用ブラシ５３を取り付けたものであり、例えば床面の清掃を行う場合、使用者は、清掃用ブラシ５３とは反対側の柄５２の遊端部を持って、当該清掃用ブラシ５３を床面に押し付けるとともに、前後に押し引きして床面を磨いていた。
【０００３】
しかし、柄５２の遊端側を持って前後に押し引きする場合、使用者はどうしても腰を屈める必要があり、体に負担を強いるという問題がある。
ところで、このような問題を改善するために、図７の仮想線にて示すように、清掃具の柄５２の遊端部に補助ハンドル６１を設けたものが提案されている（特許文献１参照）。
【０００４】
この補助ハンドル６１は、柄５２の遊端部に、把持部材６２を介して柄５２の軸心と直交する軸心回りで短い棒状のハンドル６３を揺動自在に取り付け、清掃を行う際には、柄５２の上下の部分を持つ替わりに、柄５２の手元側である遊端部と上記ハンドル６３とを持つとともにこれらをＶ字形状に開き、そして清掃用ブラシ５３を床面に押し付けながら、使用者の前方で前後方向または前後斜め方向に移動させるものである。
【特許文献１】実用新案登録第３１１０２３６号
【発明の開示】
【発明が解決しようとする課題】
【０００５】
上述した清掃具によると、たとえ、柄５２に棒状のハンドル６３が取り付けられているとしても、その取付箇所が柄５２遊端側すなわち手元であるため、確かに、腰を屈めなくても清掃用ブラシ５３を前後に移動させることはできるものの、腰を屈めることなく清掃し得る範囲は極めて狭く、例えば使用者の体の直ぐ前方部分程度であり、体から少し離れた箇所を清掃する際には、やはり、腰を屈める必要があり、また力を掛けた場合には、柄５２の遊端側の短い範囲にだけ作用するため、清掃用ブラシの部分にはあまり力が伝わらず、さらには、従来のように上下を握って清掃に必要とする力を掛けようとすると、かなり大きい力を掛ける必要があり、体への負担の軽減を図るという効果がそれ程得られないものであった。
【０００６】
そこで、本発明は、腰を屈めることなく、より少ない力で且つ広範囲に清掃し得る清掃具の柄を提供することを目的とする。
【課題を解決するための手段】
【０００７】
上記課題を解決するために、本発明の清掃具の柄は、清掃部材が取り付けられる清掃具における柄であって、
一端部に清掃部材が取り付けられるとともに他端部に主取っ手部が取り付けられた主棒状体の上記清掃部材の取付箇所またはその直ぐ上方位置に、当該主棒状体の軸心と直交する軸心回りで副棒状体の先端部を揺動可能に取り付け、
この副棒状体の遊端部に副取っ手部を設けたものである。
【０００８】
また、上記清掃具の柄において、副取っ手部側に、主棒状体に係脱可能な係合部を設けたものである。
【発明の効果】
【０００９】
上記清掃具の柄の構成によると、副棒状体の主棒状体に対する取付箇所は、清掃用ブラシの直ぐ根元またはその上方近傍であるため、床面からの反力による曲げモーメントなども殆ど発生することなく、すなわち床面からの反力だけを左右の手でほぼ均等に受け持つことになるため、使用者の体に掛かる力も無理なものではなく、使用者にとっては、最も、負担が少ないものとなる。例えば、従来のように、取っ手部の直ぐ近くに設けられた副ハンドルで支持した場合、曲げモーメントが作用するとともに左手と右手との間の距離が短いため、当然に、使用者に掛かる力が増加することになるが、本実施の形態に掛かる柄の場合には、そのようなことはない。
【発明を実施するための最良の形態】
【００１０】
［実施の形態］
以下、本発明の実施の形態に係る清掃具の柄を、図１〜図６に基づき説明する。
本実施の形態においては、清掃具として、例えば水を用いて床面を擦り洗うための清掃用ブラシを有するものについて説明する。
【００１１】
すなわち、図１〜図５に示すように、この清掃具１は、先端部（一端部）に清掃用ブラシ２が取り付けられるとともに、手元側の遊端部（他端部）にＴ字状の主取っ手部３が取り付けられた主棒状体４と、この主棒状体４の下端部、すなわち清掃用ブラシ２の取付箇所から直ぐ上方位置に、当該主棒状体４の軸心と直交する方向で、取付部材５を介して揺動自在（主棒状体を含む面内で揺動自在となる）に取り付けられた副棒状体６と、この副棒状体６の手元側の遊端部に設けられた副取っ手部７とから構成されている。
【００１２】
上記取付部材５は主棒状体４に対して取り外し可能に設けられており、図３に示すように、主棒状体４に外嵌し得る短い装着用筒状部１１と、この装着用筒状部１１の側面に突設された一対のブラケット１２に当該装着用筒状部１１の軸心と直交する方向で設けられた取付ピン１３と、先端側である一端部がこの取付ピン１３に揺動自在に取り付けられるとともに遊端側である他端側に副棒状体６の端部を挿入し得るようにされた取付用筒状部１４とから構成されている。
【００１３】
また、上記主取っ手部３は、図４に示すように、主棒状体４の遊端部に外嵌し得る取付用筒状部２１と、この取付用筒状部２１の中央位置で当該取付用筒状部２１と直交する方向で設けられた筒状の握り部２２とから構成されている。
【００１４】
さらに、上記副取っ手部７は、図５に示すように、一端部が副棒状体６の遊端部に外嵌される取付用筒状部３１と、この取付用筒状部３１の他端部に当該取付用筒状部３１と直交する方向で設けられた筒状の握り部３２と、この握り部３２の中央位置で且つ上記取付用筒状部３１と握り部３２の各軸心に対して直交する方向で主棒状体４側に突設されて当該主棒状体４に係脱可能な案内空間３３が形成された係合部３４とから構成されている。この案内空間３３は、主棒状体４の外径よりも少しだけ幅が狭くされて主棒状体４を導き得る溝部３３ａと、この溝部３３ａに接続されて主棒状体４を外嵌して保持し得る円形穴部３３ｂとから構成されている。したがって、当該清掃具１を使用しない場合には、図１の仮想線にて示すように、副取っ手部７の係合部３４の案内空間３３に主棒状体４を導き係合させておけば格納が容易となる。
【００１５】
なお、上記各棒状体４，６の取付部材５、主取っ手部３および副取っ手部７の固定については、例えばねじなどを介して各棒状体４，６に取り外し可能に固定されている。
ここで、上記清掃具１の柄における寸法的な部分について説明しておく。
【００１６】
すなわち、図１に示すように、主棒状体４の全長Ｌに対する、その先端部から取付部材５の中心位置までの距離Ｌ１の割合（Ｌ１／Ｌ）は、０〜３０％（取付作業の容易性から見ると、好ましくは５〜３０％、より好ましくは１０〜３０％）の範囲内に入るようにされ、また、図１の仮想線にて示すように、副棒状体６の格納状態において、主棒状体４の遊端部から副棒状体６の遊端部までの距離Ｌ２の割合（Ｌ２／Ｌ）が、０〜４０％（好ましくは、５〜４０％）の範囲内に入るようにされている。このような距離とすることにより、後述するように、清掃作業時に使用者の体に対する負担が非常に改善されることになる。
【００１７】
上記柄を有する清掃具１を用いて、例えば床面の清掃を行う場合について説明する。
すなわち、図６に示すように、清掃を行う場合、例えば使用者Ｍは、右手で主棒状体４の遊端側の主取っ手部３の握り部２２を持つとともに、左手で副棒状体６の遊端側の副取っ手部７の握り部３２を持って、両者をＶ字状に、自分の肩幅、またはそれ以上に開く。
【００１８】
このようにすることにより、両手で清掃具１を楽な姿勢でもって保持することができる。
そして、この状態で、例えば左手で副棒状体６を下方に押さえながら、右手で主棒状体４を左右に移動させることにより、清掃用ブラシ２を床面Ｆに適度な力で押し付けながら自分の体の前面を比較的広範囲に亘って、且つ楽な姿勢で清掃を行うことができる。なお、右手で左右に動かす際に、左手を適度に上下させれば、力をうまく逃がして、楽に清掃を行うことができる。勿論、この動作を続けながら、前方にまたは後方に移動することにより、床全面の清掃を行うことができる。
【００１９】
このように、副棒状体６の主棒状体４に対する取付箇所は、清掃用ブラシ２の直ぐ上方の根元またはその近傍であるため、床面Ｆからの反力による曲げモーメントなども殆ど発生することなく、すなわち床面からの反力だけを左右の手でほぼ均等に受け持つことになるため、使用者の体に掛かる力も無理なものではなく、使用者にとっては、最も、負担が少ないものとなる。例えば、従来のように、取っ手部とその直ぐ近くに設けられた副ハンドルとで支持した場合、曲げモーメントが作用するとともに左手と右手との間の距離が短いため、当然に、使用者に掛かる力が増加することになるが、本実施の形態に掛かる柄の場合には、そのようなことはない。
【００２０】
ところで、上記実施の形態においては、副取っ手部７の係合部３４を握り部３２に設けたが、例えば握り部３２よりも下方位置に設けることにより、握り易くすることもでき、また係合部３４として、主棒状体４に係合し得る案内空間３３を有するものとして説明したが、例えば主棒状体４に係合し得る平面視がＣ字形状の係合片であってもよく、また平面視がＣ字形状のばね片（所謂、クリップ片）であってもよい。
【００２１】
また、上記実施の形態に係る図面上においては、取付部材５の中間部分に副取っ手部７を取り付けるための取付ピン１３を配置したが、この取付ピン１３を主棒状体４の根元部分またはできるだけ根元に近い箇所に配置して、副棒状体４からの力をより効率良く清掃用ブラシ２に伝えるようにしてもよい。
【００２２】
さらに、上記実施の形態においては、清掃具として、清掃用ブラシを有するものについて説明したが、清掃用ブラシ以外の雑巾などを有するもの、例えばモップなどの清掃具の柄にも適用することができる。
【図面の簡単な説明】
【００２３】
【図１】本発明の実施の形態における清掃具の斜視図である。
【図２】同清掃具の側面図である。
【図３】同清掃具の取付部材の斜視図である。
【図４】同清掃具の主取っ手部の斜視図である。
【図５】同清掃具の副取っ手部の斜視図である。
【図６】同清掃具による清掃作業を説明する斜視図である。
【図７】従来例の清掃具の側面図である。
【符号の説明】
【００２４】
１      清掃具
２      清掃用ブラシ
３      主取っ手部
４      主棒状体
５      取付部材
６      副棒状体
７      副取っ手部
１１      装着用筒状部
１２      ブラケット
１３      取付ピン
１４      取付用筒状部
２１      取付用筒状部
２２      握り部
３１      取付用筒状部
３２      握り部
３３      案内空間
３４      係合部
【図１】
2007167345.tif 000003
【図２】
2007167345.tif 000004
【図３】
2007167345.tif 000005
【図４】
2007167345.tif 000006
【図５】
2007167345.tif 000007
【図６】
2007167345.tif 000008
【図７】
2007167345.tif 000009